(57)【要約】【課題】車両の走行が緊急性の高い状況である際にユーザーの状況判断が容易になる車載オーディオ装置を提供する。【解決手段】車両の車室内に設けられたスピーカ４から出力される音声の出力音量レベルを制御する制御手段５２と、車両の走行状況を検出する走行位置検出部６４及び緊急状態検出部６５と、を備え、制御手段５２は、走行位置検出部６４及び緊急状態検出部６５で検出した車両の走行状況に応じて出力音量レベルを制限するとともに、車両の走行状況が所定の第１の状況よりも緊急性の高い所定の第２の状況である際には、第１の状況である際と比較して出力音量の制限量を大きくするようにした。【選択図】図２
2015119240.tif 000002
【特許請求の範囲】
【請求項１】
車両の車室内に設けられたスピーカから出力される音声の出力音量レベルを制御する制御手段と、
前記車両の走行状況を検出する走行状況検出手段と、を備え、
前記制御手段は、
前記走行状況検出手段で検出した前記車両の走行状況に応じて出力音量レベルを制限するとともに、前記車両の走行状況が所定の第１の状況よりも緊急性の高い所定の第２の状況である際には、前記第１の状況である際と比較して出力音量の制限量を大きくすることを特徴とする車載オーディオ装置。
【請求項２】
前記制御手段は、前記車両の走行状況が前記第１の状況である際は、ユーザーにより設定された出力音量レベルである基準音量の値を予め設定された第１の閾値以下に制限し、前記車両の走行状況が前記第２の状況である際は、前記基準音量の値を前記第１の閾値よりも小さい値に予め設定された第２の閾値以下に制限することを特徴とする請求項１に記載の車載オーディオ装置。
【請求項３】
前記制御手段は、前記基準音量が前記第２の閾値以下である場合、前記車両の走行状況が前記第２の状況になった際は、前記基準音量をさらに小さい出力音量レベルに制限することを特徴とする請求項２に記載の車載オーディオ装置。
【請求項４】
前記制御手段は、前記基準音量が前記第１の閾値以下である場合、前記車両の走行状況が前記第１の状況になった際は、出力音量レベルを前記基準音量のままに維持することを特徴とする請求項２または３に記載の車載オーディオ装置。
【請求項５】
前記第１の閾値は、夜間の場合に昼間の場合よりも小さく設定され、前記第２の閾値は、雨天の場合に晴天もしくは曇天の場合よりも小さく設定されることを特徴とする請求項２〜４のいずれか一項に記載の車載オーディオ装置。
【請求項６】
前記車両の車速を検出する車速検出手段と、
車速が大きくなるほど出力音量レベルが大きくなるように設定された出力音量レベルの増加率を記憶する記憶手段と、をさらに備え、
前記制御手段は、前記基準音量と、前記車速検出手段で検出された車速と、前記記憶手段に記憶された前記増加率とに基づき出力音量レベルを制御する一方で、前記車両の走行状況が前記第２の状況である際には、出力音量レベルを車速にかかわらず一定値とすることを特徴とする請求項２〜５のいずれか一項に記載の車載オーディオ装置。
【発明の詳細な説明】
【技術分野】
【０００１】
本発明は、車両の車室内に設置される車載オーディオ装置に関するもので、特に、住宅街走行時や踏切横断時、緊急車両接近時に出力音量レベルを制限できる車載オーディオ装置に関する。
【背景技術】
【０００２】
スピーカから出力される音声の出力音量レベルを調整する音量操作手段と、自車が住宅街を走行しているか否かを検出する位置検出手段と、車両の車速を検出する車速検出手段と、車両が住宅街を走行している状態で車両の車速が閾値以下となった場合に出力音量レベルを記憶手段に記憶された補正音量レベルに補正する補正手段とを備えた車載オーディオ装置が知られている。記憶手段に記憶された補正音量レベルは通常音量レベルよりも小さな出力音量レベルであり、車両が住宅街を走行している状態で車両の車速が閾値以下となった場合には通常音量レベルよりも小さな補正音量レベルに補正される。これにより、この車載オーディオ装置では、住宅街走行時に通常音量レベルよりも小さな補正音量レベルに音量が制御される（例えば、特許文献１）。
【０００３】
緊急車両の接近状態を検出する接近状態検出手段と、音量を所定値以下に制限する音量制限手段とを備えた車載オーディオ装置が知られている。この車載オーディオ装置では、緊急車両の接近状態が検出された場合に音量が所定値以下に制限される（例えば、特許文献２参照）。
【０００４】
自車の位置を検出する自車位置検出手段と、ドア、ウインド、サンルーフ、ハッチバックの少なくとも一つが開いたことを検出する検出手段と、検出手段がドア、ウインド、サンルーフ、ハッチバックの少なくとも一つが開いたことを検出すると音量を低下させる音量低下制御手段とを備えた車載オーディオ装置が知られている。この車載オーディオ装置では、住宅街で、ドア、ウインド、サンルーフ、ハッチバックの少なくとも一つが開かれると、音量が低下される（例えば、特許文献３参照）。
【０００５】
スピーカから出力される音声の出力音量レベルを調整する音量操作手段と、自車の位置を検出する自車位置検出手段と、スピーカから出力する音量を可変する制御手段と、を備えた車載オーディオ装置が知られている。この車載オーディオ装置では、自車位置において予想されるノイズの増減に対して所定の基準音量を基準にした増減値により出力する音声の音量が調整される（例えば、特許文献４参照）。
【先行技術文献】
【特許文献】
【０００６】
【特許文献１】特開２０１０−２１９７９５号公報
【特許文献２】特開２００２−１１７４８４号公報
【特許文献３】特開２０００−４７６７１号公報
【特許文献４】特許第４５１３６１０号公報
【発明の概要】
【発明が解決しようとする課題】
【０００７】
しかしながら、上述した特許文献１に記載された車載オーディオ装置では、出力音量レベルが大きい状態で郊外を走行している場合には緊急車両が接近しても緊急車両に気づかないこともある。また、出力音量レベルが大きい状態で郊外の踏切を横断する場合には踏切音に気づかないこともある。
一方、上述した特許文献２に記載された車載オーディオ装置では、出力音量レベルが大きい状態で住宅街を走行しても出力音量レベルは維持されるので、住宅街の住人に迷惑がかかることもある。
他方、上述した特許文献３に記載された車載オーディオ装置では、ドア、ウインド、サンルーフ、ハッチバックの少なくとも一つが開かれないと音量が低下しないので、出力音量レベルが大きい状態で住宅街を走行すると乗員の注意が散漫になることもある。
さらに、上述した特許文献４に記憶された車載オーディオ装置では、自車位置において予想されるノイズの増減に対して所定の基準音量を基準にした増減値により出力する音声の音量が調整されるので、住宅街走行時に乗員の注意が散漫になったり、緊急車両の接近に気づかなかったりすることもある。
本発明は、上記実情に鑑みて、車両の走行状況が緊急性の高い状況である際にユーザーの状況判断が容易になる車載オーディオ装置を提供することを目的とする。
【課題を解決するための手段】
【０００８】
本発明は、車両の車室内に設けられたスピーカから出力される音声の出力音量レベルを制御する制御手段と、前記車両の走行状況を検出する走行状況検出手段と、を備え、前記制御手段は、前記走行状況検出手段で検出した前記車両の走行状況に応じて出力音量レベルを制限するとともに、前記車両の走行状況が所定の第１の状況よりも緊急性の高い所定の第２の状況である際には、前記第１の状況である際と比較して出力音量の制限量を大きくすることを特徴とする。
【０００９】
本発明によれば、第１の状況（例えば、住宅街走行中）よりも緊急性の高い第２の状況（例えば、緊急車両接近中または踏切横断中）である際には、第１の状況である際と比較して出力音量の制限量が大きくなる。これにより、緊急性の高い第２の状況である際には、第１の状況である際よりも出力音量の制限量が大きくなり、ユーザーは緊急性の高い第２の状況である際の状況判断が容易になる。
【００１０】
本発明の一態様では、前記制御手段は、前記車両の走行状況が前記第１の状況である際は、ユーザーにより設定された出力音量レベルである基準音量の値を予め設定された第１の閾値以下に制限し、前記車両の走行状況が前記第２の状況である際は、前記基準音量の値を前記第１の閾値よりも小さい値に予め設定された第２の閾値以下に制限することが好ましい。
このようにすれば、第１の状況（例えば、住宅街走行中）である際には、基準音量の値が第１の閾値以下に制限され、第２の状況（例えば、緊急車両接近中または踏切横断中）である際には、基準音量の値が第１の閾値よりも小さな第２の閾値以下に制限される。これにより、緊急性の高い第２の状況である際には、第１の状況である際よりも出力音量の制限量が大きくなり、ユーザーは緊急性の高い第２の状況である際の状況判断が容易になる。
【００１１】
本発明の一態様では、前記制御手段は、前記基準音量が前記第２の閾値以下である場合、前記車両の走行状況が前記第２の状況になった際は、前記基準音量をさらに小さい出力音量レベルに制限することが好ましい。
このようにすれば、基準音量が第２の閾値以下である場合でも第２の状況（例えば、緊急車両接近中または踏切横断中）になった際には基準音量をさらに小さい出力音量レベルに制限される。これにより、走行状況が緊急性の高い第２の状況になった際にユーザーに注意を促せるという効果を奏する。
【００１２】
本発明の一態様では、前記制御手段は、前記基準音量が前記第１の閾値以下である場合、前記車両の走行状況が前記第１の状況になった際は、出力音量レベルを前記基準音量のままに維持することが好ましい。
このようにすれば、基準音量が第１の閾値以下である場合、車両の走行状況が第１の状況（例えば、住宅街走行中）になった際は、出力音量レベルが基準音量のままに維持される。これにより、必要以上に出力音量レベルが小さくなることがないという効果を奏する。
【００１３】
本発明の一態様では、前記第１の閾値は、夜間の場合に昼間の場合よりも小さく設定され、前記第２の閾値は、雨天の場合に晴天もしくは曇天の場合よりも小さく設定されることが好ましい。
このようにすれば、夜間、第１の状況（例えば、住宅街走行中）の際に、昼間よりも小さく設定された第１の閾値以下に出力音量レベルが制限され、雨天、第２の状況の際（例えば、緊急車両接近時または踏切横断時）に、晴天もしくは曇天の場合よりも小さく設定された第２の閾値以下に出力音量レベルが制限される。これにより、夜間、第１の状況における出力音量レベルは昼間よりも小さく制限され、第１の状況における迷惑を抑制できる。また、雨天、第２の状況における出力音量レベルは小さく制限され、雨天でも緊急性の高い第２の状況におけるユーザーの状況判断が容易になる。
【００１４】
本発明の一態様では、前記車両の車速を検出する車速検出手段と、車速が大きくなるほど出力音量レベルが大きくなるように設定された出力音量レベルの増加率を記憶する記憶手段と、をさらに備え、前記制御手段は、前記基準音量と、前記車速検出手段で検出された車速と、前記記憶手段に記憶された前記増加率とに基づき出力音量レベルを制御する一方で、前記車両の走行状況が前記第２の状況である際には、出力音量レベルを車速にかかわらず一定値とすることが好ましい。
このようにすれば、車速と増加率とに基づき出力音量レベルが制御される一方で、車両の走行状況が第２の状況（例えば、緊急車両接近時または踏切横断時）である際には、出力音量レベルが車速にかかわらず一定値となる。これにより、ユーザーは緊急性の高い第２の状況における状況判断が容易になる。
【発明の効果】
【００１５】
以上説明したように、本発明によれば、第１の状況よりも緊急性の高い第２の状況である際には、第１の状況である際よりも出力音量の制限量が大きくなり、ユーザーは緊急性の高い第２の状況における状況判断が容易になる。
【図面の簡単な説明】
【００１６】
【図１】本発明の実施の形態である車載オーディオ装置を示す外観図である。
【図２】図１に示した車載オーディオ装置の制御構成を示すブロック図である。
【図３】本発明の実施の形態である車載オーディオ装置の制御手順を示すフローチャートである。
【図４】図３に示した車載オーディオ装置の車速と音量との関係を示す概念図である。
【図５】図３に示した車載オーディオ装置の車速と音量との関係を示す概念図である。
【図６】図３に示した車載オーディオ装置の車速と音量との関係を示す概念図である。
【図７】図３に示した車載オーディオ装置の車速と音量との関係を示す概念図である。
【発明を実施するための形態】
【００１７】
以下に添付図面を参照して、本発明に係る車載用オーディオ装置の好適な実施の形態を詳細に説明する。なお、この実施の形態によりこの発明が限定されるものではない。
【００１８】
図１は、本発明の実施の形態である車載オーディオ装置を示す外観図であり、図２は、図１に示した車載オーディオ装置の制御構成を示すブロック図である。
本発明の実施の形態である車載オーディオ装置１は、車速が大きくなるのに伴いロードノイズや風切り音が増大することに鑑みたもので、車速が大きくなるのに伴い音声の音量が大きくなるように制御され、住宅街走行時や踏切横断時、緊急車両接近時に出力音量レベルが制限される。
本発明の実施の形態である車載オーディオ装置１は、図１に示すように、車室内、より具体的には、車室内に設けられたダッシュボードＦに設置される。
【００１９】
図２に示すように、本発明の実施の形態である車載オーディオ装置１は、音源２、増幅器３、スピーカ４、制御部５を備えて構成される。音源２は、車載オーディオ装置１において音声の発生源となるもので、音源２には、音声が記憶されたミュージックサーバ、ＣＤやＤＶＤ等の再生装置、ＡＭラジオやＦＭラジオ等のラジオチューナー、テレビチューナ等がある。増幅器３は、音源２から出力された音声を増幅するためのもので、増幅された音声はスピーカ４から車室内に出力される。制御部５は、音源２及び増幅器３を制御するためのもので、音源２は制御部５からの指示により音声を出力し、増幅器３は、制御部５からの指示により音声を増幅する。
【００２０】
また、本発明の実施の形態に係る制御部５には、ＯＮ／ＯＦＦスイッチ６１、音量操作部（ボリュームスイッチ）６２、車速検出部６３、走行位置検出部６４、緊急状態検出部６５が接続されている。
ＯＮ／ＯＦＦスイッチ６１は、車載オーディオ装置１をオンまたはオフにするためのもので、図１に示すように、本発明の実施の形態である車載オーディオ装置１では、ＯＮ／ＯＦＦスイッチ６１と音量操作部６２とが一つのダイヤルスイッチで構成されている。音量操作部６２は、スピーカ４から車室内に出力される音声の出力音量レベルを調整する音量操作手段を構成するもので、ダイヤルスイッチをまわすことにより所望の出力音量レベル（基準音量）に調整することができる。車速検出部６３は、車両の車速を検出する車速検出手段を構成するもので、自車の車速を逐次検出することができる。
【００２１】
走行位置検出部６４は、自車の走行位置を検出する走行位置検出手段を構成するもので、自車の位置が住宅街であるか否か、踏切の横断中であるか否かを検出することができる。走行位置検出部６４は、例えば、ナビゲーション装置で構成され、ＧＰＳ衛星からの電波に基づいて自車の位置を特定し、この特定された自車の位置と記憶装置やＣＤ−ＲＯＭに記憶された地図情報とに基づいて、自車が地図上のどこの位置を走行しているか表示する。また、本実施の形態に係る走行位置検出部６４は、自車の位置と記憶装置やＣＤ−ＲＯＭに記憶された地図情報とに基づいて、自車の位置が住宅街にあるか、踏切上や踏切間近にあるかを検出する。これにより、本実施の形態に係る走行位置検出部６４は、自車が住宅街走行中であるか、踏切を横断中であるかを検出できる。なお、自車の位置が住宅街にあるか否かは、建造物や信号等が沢山あるか否か、制限速度が低く設定されているか否か、等により判定される。なお、走行位置検出部６４は、本発明における走行状況検出手段を構成する。
【００２２】
緊急状態検出部６５は、自車に緊急走行中の緊急車両が接近しているか否かを検出する緊急状態検出手段を構成するもので、自車に緊急走行中の緊急車両が接近しているか否かを検出することができる。緊急状態検出部６５は、例えば、警告灯やサイレンを検出することにより緊急走行中の緊急車両が接近しているか否かを検出する。これは、緊急走行中の緊急車両の警告灯は、前方３００メートルの距離から点灯を確認できる赤色のものであること、緊急走行中の緊急車両のサイレンの音の大きさは、前方２０メートルの位置において、９０デシベル以上１２０デシベル以下であること、と規定されているからである（道路運送車両の保安基準の細目を定める告示第２３１条）。なお、緊急状態検出部６５は、本発明における走行状況検出手段を構成する。
【００２３】
また、制御部５には、記憶手段５１、制御手段５２、音量算出手段５３、制限手段５４が設けられている。
記憶手段５１は、制御部５（制御手段５２）が音源２や増幅器３を制御するのに際して必要となるデータが記憶されている。具体的には、制御部５（制御手段５２）が増幅器３を制御するに際して指標とする出力音量レベル、出力音量レベルを制限する閾値が記憶されている。本実施の形態に係る出力音量レベルは、車速に対するものであり、車速の変化量に対する出力音量レベルの増加率（傾きａ（図４参照））が記憶されている。また、本発明の実施の形態に係る閾値は、出力音量レベルに対するものであり、第１の閾値Ａと第２の閾値Ｂとが記憶されている。
【００２４】
制御手段５２は、出力音量レベルを制御するためのものである。制御手段５２は、音量操作部６２で調整された出力音量レベルを元に車速検出部６３で検出された車速と記憶手段５１に記憶された増加率とにより出力音量レベルを増減制御する。
【００２５】
音量算出手段５３は、車両の停止時における出力音量レベルを算出するためのものである。車両の停止時における出力音量レベル（以下、「停止時音量レベル」という）は、音量操作部６２で調整された出力音量レベル（以下、「基準音量」という）を元に車速検出部６３で検出された車速と記憶手段５１に記憶された増加率とにより求められる。
【００２６】
制限手段５４は、住宅街走行時や踏切横断時、緊急車両接近時に音量を制限するためのものである。制限手段５４は、走行位置検出部６４で自車が住宅街を走行していることを検出した場合に出力音量レベルを第１の閾値Ａ以下に制限するとともに、自車が踏切を横断していることを検出した場合に出力音量レベルを第２の閾値Ｂ以下に制限する。また、制限手段５４は、緊急状態検出部６５で自車に緊急車両が接近していることを検出した場合に出力音量レベルを第２の閾値Ｂ以下に制限する。
【００２７】
図３は、本発明の実施の形態である車載オーディオ装置の制御手順を示すフローチャートである。図４〜図７は、図３に示した車載オーディオ装置の車速と音量との関係を示す概念図である。
【００２８】
ＯＮ／ＯＦＦスイッチ６１をオン、または、ＯＮ／ＯＦＦスイッチ６１をオンにした状態でイグニッションスイッチ（図示せず）をＯＦＦの位置からＡＣＣの位置に移動させると、図３に示すように、車載オーディオ装置１がオンとなる（ステップＳ１）。車載オーディオ装置１がオンになると、まず、音量算出手段５３が停止時音量レベルを算出する（ステップＳ２）。停止時音量レベルは、上述したように、音量操作部６２で調整された基準音量を元に車速検出部６３で検出された車速と記憶手段５１に記憶された増加率により求められる。より具体的には、車両が停止している場合にはその時の出力音量レベルが停止時音量レベルとなり、車両の走行中に音量操作部６２で音量調整された場合にはその時の出力音量レベル（基準音量）を元に車速検出部６３で検出された車速と記憶手段５１に記憶された増加率とにより求められたものが停止時音量レベルとなる。
【００２９】
次に、自車が緊急状態にあるか否かを判定する（ステップＳ３）。本実施の形態において緊急状態にある場合とは、自車に緊急車両が接近している場合や自車が踏切を横断中の場合である。したがって、本実施の形態では、緊急状態検出部６５で緊急車両の接近を検出した場合、走行位置検出部６４で自車の踏切横断中を検出した場合に緊急状態と判定する。
【００３０】
自車が緊急状態にある場合（ステップＳ３：ＹＥＳ）には、まず、制限手段５４が出力音量レベルを第２の閾値以下に制限し（ステップＳ４）、制御手段５２が音量算出手段５３で算出した停止時音量レベルが第２の閾値Ｂ以下であるか否かを判定する（ステップＳ５）。そして、停止時音量レベルが第２の閾値Ｂ以下である場合には、図４に示すように、制御手段５２が出力音量レベルを停止時音量未満に設定する（ステップＳ６）。これにより、停止時音量レベルが第２の閾値Ｂ以下でも出力音量レベルが停止時音量レベルよりも小さくなる。これにより、乗員は、自車が緊急状態にあることを知ることができる。一方、停止時音量レベルが第２の閾値Ｂよりも大きい場合には、図５に示すように、制御手段５２が出力音量レベルを第２の閾値以下に設定する（ステップＳ７）。この場合にも出力音量レベルが停止時音量レベルから第２の閾値Ｂ以下に小さくなるので、乗員は、自車が緊急状態にあることを知ることができる。そして、自車から緊急車両が遠ざかり、または、自車が踏切を横断し終わると、自車の緊急状態が解消され（ステップＳ８：ＹＥＳ）、制限手段５４は制限を解消する（ステップＳ９）。これにより、制御手段５２は後述する通常制御に戻る（ステップＳ１０）。
【００３１】
一方、自車が緊急状態にない場合（ステップＳ３：ＮＯ）には、自車が住宅街走行状態か否かを判定する（ステップＳ１１）。住宅街走行状態か否かは、走行位置検出部６４で判定され、自車の走行位置が住宅街であると判定した場合に住宅街走行状態にあるとされ、走行位置が住宅街でないと判定した場合に自車が住宅街走行状態にないとされる。
【００３２】
自車が住宅街走行状態にある場合（ステップＳ１１：ＹＥＳ）には、まず制限手段が出力音量レベルを第２の閾値以下に制限し（ステップＳ１２）、制御手段５２が音量算出手段５３で算出した停止時音量レベルが第１の閾値Ａ以下であるか否かを判定する（ステップＳ１３）。そして、停止時音量レベルが第１の閾値Ａよりも小さい場合には、図６に示すように、制御手段５２が出力音量レベルを停止時音量レベルに設定する（出力音量レベル一定）（ステップＳ１４）。一方、停止時音量レベルが第１の閾値Ａ以上の場合には、出力音量レベルを第１の閾値Ａ以下で第２の閾値Ｂよりも大きく設定する（出力音量レベル一定）（ステップＳ１５）。これにより、自車が住宅街走行中にある場合に緊急状態になっても、自車が緊急状態にあることを知ることができる。そして、自車が住宅街を抜けると、自車の住宅街走行状態が解消され（ステップＳ１６）、制限手段５４は制限を解消する（ステップＳ１７）。これにより、制御手段５２は後述する通常制御に戻る（ステップＳ１０）。
【００３３】
通常制御は、音量操作部６２で調整された出力音量レベルを元に車速検出部６３で検出された車速と記憶手段に記憶された増加率とにより出力音量レベルを増減する制御で、速度が大きくなると所定車速まで出力音量レベルが増大し、速度が小さくなると出力音量レベルが小さくなる。これにより、車速の増加によるロードノイズ、風切り音を考慮した制御が可能となる。
【００３４】
その後、ＯＮ／ＯＦＦスイッチ６１で車載オーディオ装置１をオフ、または、イグニションスイッチをＯＦＦの位置にすると、車載オーディオ装置がオフとなり、一連の制御が終了する（ステップＳ１８）。
【００３５】
以上説明したように、本発明の実施の形態である車載オーディオ装置１では、住宅走行時に第１の閾値Ａ以下に出力音量レベルが制限でき、緊急車両接近時または踏切横断時に第２の閾値Ｂ以下に出力音量レベルが制限できる。
【００３６】
また、第２の閾値Ｂが第１の閾値Ａよりも小さく設定されるので、緊急車両接近時または踏切横断時のほうが、住宅街走行時よりも出力音量レベルが制限される。これにより、車両の乗員に緊急車両の接近をわかりやすくできる。
【００３７】
また、緊急車両接近時や踏切横断時のほうが住宅街走行時よりも出力音量レベルが小さくなるので、緊急車両の接近が住宅街の走行に優先され、車両の乗員にとって住宅街走行時における緊急車両の接近をわかりやすくできる。
【００３８】
また、停止時音量レベルが第１の閾値Ａよりも小さい場合に、住宅街走行時における出力音量レベルを停止時音量レベルに制御されるので、住宅街走行時における出力音量レベルを一定に保つことができる。
【００３９】
また、第１の閾値Ａは、夜間の場合に昼間の場合よりも小さく設定されるので、夜間、住宅街走行時に、昼間よりも小さく設定された第１の閾値Ａ以下に出力音量レベルが制限され、住宅街の住人にかける迷惑を抑制できる。また、第２の閾値Ｂは、雨天の場合にそれ以外の場合よりも小さく設定されるので、夜間、住宅街走行時における出力音量レベルは昼間よりも小さく制限され、また、雨天、緊急車両接近時または踏切横断時における出力音量レベルは小さく制限され、雨天でも緊急車両の接近、踏切音がわかりやすくなる。
【００４０】
なお、上述した実施の形態では、自車が走行状態にある場合には出力音量レベルを第１の閾値Ａ以下で一定に設定するものとしたが、第１の閾値Ａ以下において車速に応じて増大するように設定するものとしてもよい。
【００４１】
なお、上述した実施の形態では、制御手段５２が、車速に応じて出力音量レベルを増減制御するものとしたが、これに限られない。つまり、通常時に、制御手段がユーザーにより設定された基準音量を車速にかかわらず出力する構成においても、本発明の走行状況に応じた出力音量レベルの制限制御を適用できる。
【産業上の利用可能性】
【００４２】
本発明は、住宅街走行時や踏切横断時、緊急車両接近時に出力音量レベルを制限できるので、車両の車室内に設置される車載オーディオ装置に好適である。
【符号の説明】
【００４３】
１    車載オーディオ装置
２    音源
３    増幅器
４    スピーカ
５    制御部
５１    記憶手段
５２    制御手段
５３    音量算出手段
５４    制限手段
６１    ＯＮ／ＯＦＦスイッチ
６２    音量操作部
６３    車速検出部
６４    走行位置検出部
６５    緊急状態検出部
Ａ    第１の閾値
Ｂ    第２の閾値
【図１】
2015119240.tif 000003
【図２】
2015119240.tif 000004
【図３】
2015119240.tif 000005
【図４】
2015119240.tif 000006
【図５】
2015119240.tif 000007
【図６】
2015119240.tif 000008
【図７】
2015119240.tif 000009